(57)【要約】      （修正有）【課題】消費者が縁無し眼鏡を購入する際、眼鏡販売店の店頭に於いて、その縁無し眼鏡用フレームが豊富な種類の中から選べること、また、その縁無し眼鏡が常に高度な技術で製造される高品質なものであるためには、如何にすべきかが課題である。【解決手段】縁無し眼鏡に於いて、眼鏡レンズメーカー、及び、眼鏡フレームメーカーは、玉型のデザイン、及び、レンズとフレームの連結部の構造、及び、連結方法等の機構情報を共通の規格として定め、眼鏡フレームメーカーは、その規格に則った縁無し眼鏡用フレームを製造すること。また、眼鏡レンズメーカーは、眼鏡販売店から受けたレンズの注文が、その規格に則った縁無し眼鏡用フレームに使用される場合、そのレンズに規格に則った切削や穴あけ等の加工作業を施した後に、眼鏡販売店に納品すること。この製造システムによって、豊富な種類と高品質な縁無し眼鏡用フレームを消費者に提供することが可能とする。【選択図】図４
2005078055.tif 000002
【特許請求の範囲】
【請求項１】
縁無し眼鏡に於いて、眼鏡レンズメーカー、及び、眼鏡フレームメーカーは、玉型のデザイン、及び、レンズとフレームの連結部の構造、及び、連結方法等の機構情報を共通の規格として定め、眼鏡フレームメーカーは、その規格に則った縁無し眼鏡用フレームを製造販売する。
眼鏡レンズメーカーは、眼鏡販売店から受けたレンズの注文が、その規格に則った縁無し眼鏡用フレームに使用される場合、そのレンズに規格に則った切削や穴あけ等の加工作業を施した後に、眼鏡販売店に納品する。ことを特徴とした縁無し眼鏡の製造システム。
【請求項２】
縁無し眼鏡に於いて、眼鏡レンズメーカー、及び、眼鏡フレームメーカーは、玉型のデザイン、及び、レンズとフレームの連結部の構造、及び、連結方法等の機構情報を共通の規格として定め、眼鏡フレームメーカーは、その規格に則った縁無し眼鏡用フレームを製造販売する。ことを特徴とした縁無し眼鏡の製造システム。
【請求項３】
縁無し眼鏡に於いて、眼鏡レンズメーカー、及び、眼鏡フレームメーカーは、玉型のデザイン、及び、レンズとフレー厶の連結部の構造、及び、連結方法等の機構情報を共通の規格として定め、眼鏡レンズメーカーは、眼鏡販売店から受けたレンズの注文が、その規格に則った縁無し眼鏡用フレームに使用される場合、そのレンズに規格に則った切削や穴あけ等の加工作業を施した後に、眼鏡販売店に納品する。ことを特徴とした縁無し眼鏡の製造システム。
【発明の詳細な説明】
【技術分野】
【０００１】  この発明は、縁無し眼鏡の製造システム、に関するものである。
【背景技術】
【０００２】  一般的に、眼鏡販売店が縁無し眼鏡を販売する場合、眼鏡販売店は消費者の指定する縁無し眼鏡用フレームと消費者の指定するレンズを組合せる為に、そのレンズに縁無し眼鏡用フレームの形状や構造に合わせた切削や穴あけ等の加工作業、及び、レンズと縁無し眼鏡用フレームとを連結する組立作業を行なって完成したものを、縁無し眼鏡として販売している。
以下、従来の実施形態の例として、縁無し眼鏡の製造システ厶である縁無し眼鏡用フレーム、及び、眼鏡レンズの発注経路、及び、納品経路を図に基づいて説明する。【０００３】  図１は、一般的な、縁無し眼鏡の製造システムの実施形態を示すシステムの説明図である。
眼鏡販売店は、不特定の眼鏡レンズメーカー、及び、不特定の眼鏡フレームメーカーから、自由に縁無し眼鏡用フレームやレンズを選択し、仕入れ販売している。
しかし、眼鏡販売店がフレームとレンズを組合せて縁無し眼鏡にするためには、レンズに眼鏡フレームの種類毎に、異なる形状や構造に合わせた高度な熟練を要する切削や穴あけ等の加工作業と、完成させるための組立作業を行なわなくてはならない。
また、これらの加工作業には、作業の失敗によるレンズ損失の可能性もあることから、縁無し眼鏡の販売は消極的になり、眼鏡販売店の店頭に展示される縁無し眼鏡用フレームの種類も数も少なくなってしまう。
したがって、消費者は商品選択の範囲が限られてしまう他、加工作業に失敗した低品質の縁無し眼鏡（図１５、図１６、図１７）を購入してしまう等、危険のあるシステムである。【０００４】  図２は、眼鏡フレームも販売する眼鏡レンズメーカーが、自社のレンズと縁無し眼鏡用フレームを、自社の工場で縁無し眼鏡として完成させたものを眼鏡販売店に販売する、縁無し眼鏡の製造システムの実施形態を示すシステムの説明図である。
このシステムでは、縁無し眼鏡の製造に必要な、高度な熟練を要する切削や穴あけ等の加工作業、及び、組立作業を眼鏡レンズメーカーが行なうため、眼鏡販売店は、これらの作業に伴う手間や失敗によるレンズ損失の心配が無くなり、簡単に消費者に販売することが出来る。
また、消費者は品質の高い、縁無し眼鏡を買う事が出来る等の長所がある。
しかし、消費者がこれらの縁無し眼鏡を購入する際、眼鏡販売店で選択できるレンズとフレームは、これらの縁無し眼鏡を製造したメーカーの製品に限られているため、消費者の商品選択の範囲が限られてしまう短所のあるシステムである。【０００５】  図３は、眼鏡レンズ、及び、眼鏡フレームの卸商社が、特定の眼鏡レンズメーカーから仕入れるレンズと縁無し眼鏡用フレームを、自社の加工所で縁無し眼鏡として完成させたものを、眼鏡販売店に販売する、縁無し眼鏡の製造システムの実施形態を示すシステムの説明図である。
このシステムでは、縁無し眼鏡の製造に必要な、高度な熟練を要する切削や穴あけ等の加工作業、及び、組立作業を卸商社が行なうため、眼鏡販売店は、これらの作業に伴う手間や失敗によるレンズ損失の心配が無くなり、簡単に消費者に販売することが出来る。
また、消費者は品質の高い、縁無し眼鏡を買う事が出来る等の長所がある。
しかし、消費者がこれらの縁無し眼鏡を購入する際、眼鏡販売店で選択できるレンズとフレームは、この縁無し眼鏡を製造した卸商社の製品に限られているため、消費者の商品選択の範囲が限られてしまう短所のあるシステムである。【０００６】  上述した、図１、図２、図３、の実施形態は、従来の技術からなる縁無し眼鏡の製造システムを示したものである。
これらのシステムに共通している事は、消費者の商品選択の範囲が狭い事である。
【発明の開示】
【発明が解決しようとする課題】
【０００７】  消費者が縁無し眼鏡を購入する際、眼鏡販売店の店頭に於いて、その縁無し眼鏡用フレー厶を豊富な種類の中から選ぶことが出来、且つ又、その縁無し眼鏡が、常に高度な技術で製造される高品質なものであるためには、眼鏡販売店から、高度な熟練を要する穴あけ加工や切削加工等の作業の手間と、それらの作業の失敗から起こるレンズ損失のリスクを無くすことによって成し得る事である。
そのためには、如何にしたら、眼鏡販売店が眼鏡レンズメーカーに注文したレンズに、縁無し眼鏡用フレームの種類毎に異なる形状及び構造に合致する必要な加工が完了して納品されて来るか、が課題となる。
【課題を解決するための手段】
【０００８】  以上の課題を解決するために、第一発明の、縁無し眼鏡に於いて、眼鏡レンズメーカー、及び、眼鏡フレームメーカーは、縁無し眼鏡の玉型のデザイン、及び、レンズとフレームの連結部の構造、及び、連結方法等の機構情報を共通の規格として定め、眼鏡フレームメーカーは、その規格に則った縁無し眼鏡用フレームを製造販売し、眼鏡レンズメーカーは、眼鏡販売店から受けたレンズの注文が、その規格に則った縁無し眼鏡用フレームに使用されるレンズの場合、そのレンズに規格に則った加工を施した後に眼鏡販売店に納品する。ことを特徴とした、縁無し眼鏡の製造システムを実施することである。
第二発明の、縁無し眼鏡に於いて、眼鏡レンズメーカー、及び、眼鏡フレームメーカーは、縁無し眼鏡の玉型のデザイン、及び、レンズとフレームの連結部の構造、及び、連結方法等の機構情報を共通の規格として定め、眼鏡フレームメーカーは、その規格に則った縁無し眼鏡用フレームを製造販売する。ことを特徴とした、縁無し眼鏡の製造システムを実施することである。
第三発明の、縁無し眼鏡に於いて、眼鏡レンズメーカー、及び、眼鏡フレームメーカーは、縁無し眼鏡の玉型のデザイン、及び、レンズとフレームの連結部の構造、及び、連結方法等の機構情報を共通の規格として定め、眼鏡レンズメーカーは、眼鏡販売店から受けたレンズの注文が、その規格に則った縁無し眼鏡用フレームに使用されるレンズの場合、そのレンズに規格に則った加工を施した後に眼鏡販売店に納品する。ことを特徴とした、縁無し眼鏡の製造システムを実施することである。
【発明の効果】
【０００９】  第一発明のシステム、あるいは、第二発明のシステ厶と第三発明のシステ厶をあわせて実施することによって、眼鏡販売店は、高度な熟練を要する切削や穴あけ等の加工作業の手間と、それらの作業の失敗から起こる損失のリスクを無くし、且つ又、豊富な商品の品揃えを可能にする。
また、消費者にとっては、縁無し眼鏡用フレームを購入する際、眼鏡販売店で選択出来るレンズとフレームは、豊富な種類の中から選ぶことが出来る他、高度の技術で製造された高品質の縁無し眼鏡を購入出来る長所がある。
【発明を実施するための最良の形態】
【００１０】  この発明の実施形態を、図４、に示す。
眼鏡販売店は、縁無し眼鏡用フレームの仕入れに際し、本発明の縁無し眼鏡の製造システムに参加する各眼鏡フレームメーカーから、規格に則って作られた、縁無し眼鏡用フレームを自由に選択し仕入れる事が出来る。
また、眼鏡レンズの発注については、本発明の縁無し眼鏡の製造システムに参加する各眼鏡レンズメーカーに発注することによって、眼鏡レンズには、縁無し眼鏡用フレームの種類毎に異なる形状及び構造に合致する必要な加工が完了して納品されてくる。
眼鏡販売店は、必要な加工が完了して納品されてきたレンズと、フレーム側のブリッジ連結部（１０）、及び、フレーム側のヨロイ連結部（１１）と、そのレンズの連結部の穴（１２）を連結し、簡単な組立作業を行なうことにより、高度の技術で製造された高品質の縁無し眼鏡の完成となる。
【実施形態の効果】
【００１１】  この実施形態によれば、眼鏡販売店は、高度な熟練を要する切削や穴あけ等の加工作業の手間と、それらの作業の失敗から起こる損失のリスクを無くすことが出来る。
また、消費者は、縁無し眼鏡用フレームを購入する際、眼鏡販売店で選択できるレンズとフレームは、豊富な種類の中から選ぶことが出来る他、高度の技術で製造された高品質の縁無し眼鏡を購入出来る長所がある。
【他の実施形態】
【００１２】  他の実施形態を、図１、に示す。
図１は、一般的な、縁無し眼鏡の製造システ厶の実施形態を示すシステムの説明図である。
眼鏡販売店は、不特定の眼鏡レンズメーカー、及び、不特定の眼鏡フレームメーカーから、自由に製品を選択し仕入れ販売する事が出来る。
しかし、フレームの種類毎に異なるデザイン、及び、構造に合わせて、そのレンズがフレームと連結される部分に、高度な熟練を要する切削や穴あけ等の加工作業と、完成させるための組立作業を行なわなくてはならない。
【００１３】  他の実施形態を、図２、に示す。
図２は、一部の、眼鏡レンズメーカーが行っている縁無し眼鏡の製造システムの実施形態を示すシステムの説明図である。
眼鏡販売店は、眼鏡フレームも販売する眼鏡レンズメーカーから、特定の縁無し眼鏡用フレームと、特定の眼鏡レンズを組合せ完成させた縁無し眼鏡を仕入れ販売している。
縁無し眼鏡に使用できるフレームやレンズの種類が、それらを販売している一社に限られているため、消費者の商品選択の範囲が狭い。しかし、高度な熟練を要する切削や穴あけ等の加工作業の手間を眼鏡レンズメーカーが行なうため、眼鏡販売店は、それらの作業の失敗から起こる損失のリスクを無くすことが出来る。
また、消費者は品質の高い、縁無し眼鏡を購入することが出来る等の長所がある。
【００１４】  他の実施形態を、図３、に示す。
図３は、一部の、眼鏡レンズ及び、眼鏡フレームの卸商社が行っている縁無し眼鏡の製造システムの実施形態を示すシステムの説明図である。
眼鏡販売店は、眼鏡レンズ、及び、眼鏡フレームの卸商社から、特定の縁無し眼鏡用フレームと、特定の眼鏡レンズを組合せ完成させた縁無し眼鏡を仕入れ販売している。
縁無し眼鏡に使用できるフレームやレンズの種類が、それらを販売している一社に限られているため、消費者の商品選択の範囲が狭い。しかし、高度な熟練を要する切削や穴あけ等の加工作業の手間を卸商社が行なうため、眼鏡販売店は、それらの作業の失敗から起こる損失のリスクを無くすことが出来る。
また、消費者は品質の高い、縁無し眼鏡を購入することが出来る等の長所がある。
【図面の簡単な説明】
【００１５】
【図１】一般的な、実施形態を示すシステムの説明図である。
【図２】一部の、眼鏡レンズメーカーが行っている実施形態を示すシステムの説明図である。
【図３】一部の、眼鏡レンズ及び、眼鏡フレームの卸商社が行っている実施形態を示すシステムの説明図である。
【図４】この発明の実施形態を示すシステムの説明図である。
【図５】玉型のデザイン、及び、レンズの連結部の構造例を示す説明図である。
【図６】図５の、玉型のデザイン、及び、レンズの連結部の構造例に使用するフレームとレンズの連結方法を示す分解図である。
【図７】図５の、レンズに連結するフレーム側ブリッジ連結部の説明図である。
【図８】図５の、レンズに連結するフレーム側ヨロイ連結部の説明図である。
【図９】図５の、玉型のデザインと、図７のブリッジ、及び、図８のヨロイを連結した組立完了後の、縁無し眼鏡の正面図である。
【図１０】玉型のデザイン、及び、レンズの連結部の構造例を示す説明図である。
【図１１】図１０の、玉型のデザイン、及び、レンズの連結部の構造例に使用するフレームとレンズの連結方法を示す分解図である。
【図１２】図１０の、レンズに連結するフレーム側ブリッジ連結部の説明図である。
【図１３】図１０の、レンズに連結するフレーム側ヨロイ連結部の説明図である。
【図１４】図１０の、玉型のデザインと、図１２のブリッジ、及び、図１３のヨロイを連結した組立完了後の、縁無し眼鏡の正面図である。
【図１５】加工作業に失敗した、低品質の縁無し眼鏡の例。向かって右玉が吊り下がってしまった縁無し眼鏡の正面図の説明図である。
【図１６】加工作業に失敗した、低品質の縁無し眼鏡の例。向かって右玉位置が上がってしまった縁無し眼鏡の正面図の説明図である。
【図１７】加工作業に失敗した、低品質の縁無し眼鏡の例。向かって右玉が吊り上がってしまった縁無し眼鏡の正面図の説明図である。
【図１８】高度な技術で製造された、高品質の縁無し眼鏡の上面図である。
【図１９】高度な技術で製造された、高品質の縁無し眼鏡の正面図である。
【図２０】高度な技術で製造された、高品質の縁無し眼鏡の側面図である。
【符号の説明】
【００１６】１ａ    眼鏡フレームの発注経路を示す。
１ｂ    眼鏡フレー厶の納品経路を示す。
２ａ    レンズの発注経路を示す。
２ｂ    レンズの納品経路を示す。
３ａ    縁無し眼鏡の発注経路を示す。
３ｂ    縁無し眼鏡の納品経路を示す。
３    縁無し眼鏡
４    レンズ
５    フレーム
６    ブリッジ
７    ヨロイ
８    ねじ
９    ワッシャー
１０    フレーム側のブリッジ連結部の構造例
１１    フレーム側のヨロイ連結部の構造例
１２    レンズの連結部の穴あけ加工の例
１３    玉型のデザイン
１４    機構情報
【図１】
2005078055.tif 000003
【図２】
2005078055.tif 000004
【図３】
2005078055.tif 000005
【図４】
2005078055.tif 000006
【図５】
2005078055.tif 000007
【図６】
2005078055.tif 000008
【図７】
2005078055.tif 000009
【図８】
2005078055.tif 000010
【図９】
2005078055.tif 000011
【図１０】
2005078055.tif 000012
【図１１】
2005078055.tif 000013
【図１２】
2005078055.tif 000014
【図１３】
2005078055.tif 000015
【図１４】
2005078055.tif 000016
【図１５】
2005078055.tif 000017
【図１６】
2005078055.tif 000018
【図１７】
2005078055.tif 000019
【図１８】
2005078055.tif 000020
【図１９】
2005078055.tif 000021
【図２０】
2005078055.tif 000022